(57)【要約】【課題】検出顔領域が継続的に設定されるようにし、ポートレートモードで人物を適切に撮影しやすくする。【解決手段】ポートレートモードを開始すると、第１の状態Ａ１のように、スルー画像表示を開始し、モニタ上に撮影画像Ｉを連続的に表示する。各撮影画像Ｉでは、顔画像ｆが映し出される顔領域を検出するための検出動作を行う。検出動作において、顔領域を検出すると、第２の状態Ａ２に示すように、その顔領域を検出顔領域Ｆに設定し、検出顔領域Ｆを第１の表示枠Ｒ１で囲んで表示する。検出顔領域Ｆを設定した後、検出動作において顔画像ｆを検出しない場合、直前に検出顔領域Ｆに設定された領域を継続して検出顔領域Ｆに設定する。また、その検出顔領域Ｆは第３の状態Ａ３に示すように第１の表示枠Ｒ１で表示する。【選択図】図２
2007221312.tif 000002
【特許請求の範囲】
【請求項１】
撮影領域において、特定の被写体が映し出される被写体領域を検出するための検出動作が繰り返し行われる撮像装置において、
前記各検出動作において、前記被写体領域が検出された場合、その被写体領域を検出被写体領域として設定する第１設定手段と、
前記各検出動作において、前記被写体領域が検出されなかった場合、前記第１設定手段によって直前に設定された前記検出被写体領域を継続して検出被写体領域として設定する第２設定手段と
を備えることを特徴とする撮像装置。
【請求項２】
表示装置と、
前記撮影領域の画像を撮像する撮像手段と、
撮影待機状態で前記撮像手段により連続的に撮影された撮影画像を前記表示装置にスルー画像として表示する第１表示手段と、
前記スルー画像として表示される前記撮影画像において、前記検出被写体領域を他の領域と差別化して表示する第２表示手段と
を備えることを特徴とする請求項１に記載の撮像装置。
【請求項３】
前記第２表示手段は、前記表示装置上に前記検出被写体領域を囲む表示枠を表示させることにより、前記検出被写体領域を他の領域と差別化させることを特徴とする請求項２に記載の撮像装置。
【請求項４】
前記第２設定手段は、前記検出動作が繰り返し行われているときに、前記被写体領域が検出されない状態が所定時間以上継続した場合、前記検出被写体領域の設定を解除することを特徴とする請求項１に記載の撮像装置。
【請求項５】
前記撮像手段が撮影領域の画像を静止画として撮影するとき、少なくとも前記検出被写体領域内の被写体に焦点が合わせられ、又は前記検出被写体領域内の測光値を基に、露光値が設定されることを特徴とする請求項１に記載の撮像装置。
【請求項６】
前記第１及び第２設定手段によって、前記検出被写体領域が設定されていない場合に、前記撮像手段が撮影領域の画像を静止画として撮影するとき、前記撮影領域内の複数のポイントで焦点検出又は露光制御の少なくともいずれかが行われることを特徴とする請求項１に記載の撮像装置。
【請求項７】
前記複数のポイントは、前記第１設定手段によって直前に設定された前記検出被写体領域を含み、かつその領域より広い領域内に位置することを特徴とする請求項６に記載の撮像装置。
【請求項８】
前記第２設定手段は、前記第１設定手段によって直前に設定された前記検出被写体領域を含み、かつその領域より広い領域を検出被写体領域として設定することを特徴とする請求項１に記載の撮像装置。
【請求項９】
前記検出動作は、人の顔が映し出される被写体領域を検出するための動作であることを特徴とする請求項１に記載の撮像装置。
【請求項１０】
撮影領域において、特定の被写体が映し出される被写体領域を検出するための検出動作が繰り返し行われる被写体領域設定方法であって、
前記各検出動作において、前記被写体領域が検出された場合、その被写体領域を検出被写体領域として設定する第１設定ステップと、
前記各検出動作において、前記被写体領域が検出されなかった場合、前記第１設定ステップによって直前に設定された前記検出被写体領域を継続して検出被写体領域として設定する第２設定ステップと
を備えることを特徴とする被写体領域設定方法。
【発明の詳細な説明】
【技術分野】
【０００１】
撮影領域において、人間の顔など特定の被写体が映し出される領域を検出することが可能な撮像装置に関する。
【背景技術】
【０００２】
従来、特許文献１に記載されるように、撮影画像において、人間の顔が映し出される顔領域を自動的に抽出することが可能な顔認識装置が知られている。デジタルカメラにおいて顔認識装置が用いられれば、自動で顔領域が検出された後、検出された顔領域に焦点を合わせると共に、その顔領域の露光値を適正に設定することにより、人物の顔を再現性良く適切に撮影することができる。したがって、近年、人物を撮影するためのポートレートモードにおいて、顔認識を行ないつつ被写体を撮影することが可能なデジタルカメラが開発されつつある。
【０００３】
デジタルカメラで行なわれる顔認識は一般的に、モニタにスルー画像が表示される、撮影待機状態において行なわれる。すなわち、顔認識はスルー画像として撮像された撮影画像において行われ、抽出された顔領域は、スルー画像上に例えば四角枠で囲んで表示される。撮影待機状態では、カメラや被写体の動きによって、撮影領域における人間の顔の位置も移動するので、デジタルカメラにおいて顔認識は、通常繰り返し行なわれる。
【特許文献１】特開平８−６３５９７号公報
【発明の開示】
【発明が解決しようとする課題】
【０００４】
しかし、従来用いられている顔認識装置では、撮影画像に人間の顔が映し出される場合でも、映し出される顔の大きさや向き等撮影状況によって、撮影画像上に顔画像がないと判定される場合がある。
【０００５】
したがって、撮影待機状態において、顔領域の検出・非検出が繰り返され、スルー画像上に顔領域を示すための四角枠が表示されたり、表示されなくなったりする場合がある。このように、四角枠の非表示・表示が繰り返されると、撮影者は煩わしいと感じることがある。また、顔領域の検出・非検出が繰り返されると、どのタイミングでシャッターを押したらよいのかユーザーに戸惑いを与えてしまうことがある。
【０００６】
さらに従来のポートレートモードでは、静止画が撮影される直前に顔領域が検出されない場合、通常の撮影モードと同様の焦点調整や露光補正で静止画の撮影が行われるので、ポートレートモードにおいて人物が適切に撮影されない事態が生じやすかった。
【０００７】
そこで、本願発明は、上記問題点に鑑みて成されたものであり、ポートレートモードで人物が適切に撮影されやすくするとともに、顔認識を行なう場合のモニタの表示方法を改良し、撮影者に煩わしさを感じさせない撮像装置を提供することを目的とする。
【課題を解決するための手段】
【０００８】
本発明に係る撮像装置は、撮影領域において、特定の被写体が映し出される被写体領域を検出するための検出動作が繰り返し行われる撮像装置において、各検出動作において、被写体領域が検出された場合、その被写体領域を検出被写体領域として設定する第１設定手段と、各検出動作において、被写体領域が検出されなかった場合、第１設定手段によって直前に設定された検出被写体領域を継続して検出被写体領域として設定する第２設定手段とを備えることを特徴とする。
【０００９】
上記撮像装置は、さらに表示装置と、撮影領域の画像を撮像する撮像手段と、撮影待機状態で撮像手段により連続的に撮影された撮影画像を表示装置にスルー画像として表示する第１表示手段と、スルー画像として表示される撮影画像において、検出被写体領域を他の領域と差別化して表示する第２表示手段とを備えていたほうが良い。
【００１０】
第２表示手段は、好ましくは表示装置上に検出被写体領域を囲む表示枠を表示させることにより、検出被写体領域を他の領域と差別化させる。
【００１１】
また第２設定手段は、好ましくは検出動作が繰り返し行われているときに、被写体領域が検出されない状態が所定時間以上継続した場合、検出被写体領域の設定を解除する。
【００１２】
撮像手段が撮影領域の画像を静止画として撮影するとき、検出被写体領域内の被写体に焦点が合わせられても良いし、検出被写体領域内の測光値を基に、露光値を設定しても良い。
【００１３】
第１及び第２設定手段によって、検出被写体領域が設定されていない場合に、撮像手段が撮影領域の画像を静止画として撮影するとき、撮影領域内の複数のポイントで焦点検出又は露光制御の少なくともいずれかが行われることが好ましい。すなわち、撮影領域内の複数のポイントのうち最も撮像装置に近い被写体が位置するポイントに焦点が合わせられたほうが良い。また、撮影領域内の複数ポイントの測光値を基に、露光値を設定した方が良い。なお、上記複数のポイントは、予め設定された所定領域内に位置しても良いし、第１設定手段によって直前に設定された検出被写体領域を含み、かつその領域より広い領域内に位置しても良い。
【００１４】
第２設定手段は、第１設定手段によって直前に設定された検出被写体領域を含み、かつその領域より広い領域を検出被写体領域として設定しても良い。
【００１５】
上記検出動作は、人の顔が映し出される被写体領域を検出するための動作であることが好ましい。
【００１６】
本発明に係る被写体領域設定方法は、撮影領域において、特定の被写体が映し出される被写体領域を検出するための検出動作が繰り返し行われる被写体領域設定方法であって、各検出動作において、被写体領域が検出された場合、その被写体領域を検出被写体領域として設定する第１設定ステップと、各検出動作において、被写体領域が検出されなかった場合、第１設定ステップによって直前に設定された検出被写体領域を継続して検出被写体領域として設定する第２設定ステップとを備えることを特徴とする。
【発明の効果】
【００１７】
以上のように、本発明においては、特定の被写体が撮影されるとき、その撮影される直前に被写体領域が検出できない場合でも、その前に検出された検出被写体領域を用いて、撮影動作を行うことができるので、特定の被写体を適正に撮影することができる。
【発明を実施するための最良の形態】
【００１８】
以下、本発明に係る実施形態について、図面を参照して説明する。図１は、本発明の一実施形態に係るデジタルカメラのブロック図である。本実施形態に係るデジタルカメラ１０の全体の動作は、演算部３０を備える制御部２９によって制御される。デジタルカメラ１０において、メインスイッチ３１が入力されると、デジタルカメラ１０全体の動作が開始される。デジタルカメラ１０の動作は、設定されているモードによって異なり、そのモードはモードスイッチ３２によって切り替えられる。なお、以下の説明では、モードがポートレートモードに設定されている場合のデジタルカメラ１０の動作を説明し、その他のモードにおける動作の説明は省略する。
【００１９】
ポートレートモードでは、レリーズボタン（不図示）が全押しされるまでデジタルカメラ１０は撮影待機状態となる。撮影待機状態では、撮像素子（例えばＣＣＤ）２０は、撮像レンズ１９が捉える撮影領域の画像（撮影画像）をスルー画像として撮影する。すなわち、撮像素子２０は連続的に撮影画像を撮像し、その撮影画像は、アナログ画像信号として信号処理回路２１に入力される。アナログ画像信号は、信号処理回路２１でノイズが除去された後にＡ／Ｄ変換され、デジタル画像信号として画像処理回路２２に入力される。デジタル画像信号は、画像処理回路２２において画像処理が施され、画像データとしてメモリ２４内に格納され、この画像データは画素数が間引かれた後モニタ２５にスルー画像として表示される。画像処理回路２２内にある顔認識部２３は、メモリ２４内に格納された画像データを用いて、各撮影画像に関し、人間の顔が映し出される顔領域を検出するための検出動作を行う。
【００２０】
上記検出動作において、顔領域が検出された場合、検出された顔領域を検出顔領域Ｆ（図２参照）に設定されるとともに、検出顔領域Ｆに関する領域情報がメモリ２４に格納される。ここで、メモリ２４に既に領域情報が、格納されている場合、新たに生成された領域情報は、既に格納されている領域情報の上に上書きされる。
【００２１】
上記検出動作において、顔領域が検出されない場合、顔認識部２３では検出顔領域Ｆに関する領域情報が生成されないので、メモリ２４には新しい領域情報が書き込まれず、最後に書き込まれた領域情報が格納されたままである。そして、顔領域が検出されない場合、メモリ２４に格納された領域情報を用いて、直前に設定された検出顔領域Ｆが、継続して検出顔領域Ｆとして設定される。
【００２２】
撮影待機状態では撮影画像が繰り返し撮影されるので、上記検出動作も繰り返し行われる。その検出動作が繰り返し行われる間に、顔領域が検出されない状態が所定時間以上継続した場合、検出顔領域Ｆの設定が解除され、検出顔領域Ｆが設定されない状態となる。なお、所定時間の計測は、顔認識部２３によって行われる。また所定時間は例えば１〜６秒である。
【００２３】
画像処理回路２２では、メモリ２４に格納された領域情報に基づき、設定されている検出顔領域Ｆを囲み、検出顔領域Ｆを差別化して表示するための第１の表示枠Ｒ１（図２参照）が生成される。第１の表示枠Ｒ１は、矩形または方形を呈するとともに、撮影画像に重ねられてモニタ２５上に表示される。ただし、検出顔領域Ｆが設定されていない状態では、第１の表示枠Ｒ１は生成されず、撮影画像の所定領域Ｐ（図２参照）を囲み、所定領域Ｐを差別化して表示するための第２の表示枠Ｒ２（図２参照）が生成され、第２の表示枠Ｒ２は撮影画像に重ねられてモニタ２５上に表示される。
【００２４】
撮影待機状態でレリーズボタンが半押しされ、ＳＷＳスイッチ３３が入力されると、検出顔領域Ｆ又は所定領域Ｐ内の画像データを用いて、静止画像を撮影するための焦点調整、及び撮像素子２０の露光補正が行なわれる。焦点調整は、ＡＦ制御部２８によって、撮像レンズ１９の合焦状態が調整されることにより行なわれる。露光補正は、ＡＥ制御部２７によって、絞り１８の絞り量が調整されることにより行なわれる。
【００２５】
レリーズボタンが全押しされると、ＳＷＲスイッチ３４が入力され、静止画像の撮影が行われる。すなわち、レリーズボタンが押されると、焦点調整、露光補正が行われ、撮像素子２０で捉えられた撮影画像が、記録用静止画像として画素数が間引かれずメモリーカード２６に記録される。なお、撮像素子２０で捉えられた撮影画像は、スルー画像と同様に、画像信号として回路２１、２２で所定の信号処理、画像処理が行われた後、記録用静止画像として記録される。
【００２６】
図２は、ポートレートモードにおけるモニタに表示される画像を模式的に示した図である。なお、以下の説明において、第１乃至第３の状態Ａ１〜Ａ３とは、モニタの表示状態を示し、第１の状態Ａ１は検出顔領域Ｆが設定されてないときのモニタ状態を示す。第２の状態Ａ２は検出動作において顔領域が検出されたときのモニタ状態を示す。第３の状態Ａ３は検出動作において顔領域が検出されなかったが、検出顔領域Ｆが設定されているときのモニタ状態を示す。
【００２７】
ポートレートモードが開始されると、モニタは第１の状態Ａ１になり、モニタ上には撮影画像Ｉが表示されるとともに、撮影画像Ｉの中央に位置し、撮影画像Ｉのほぼ全体を占める矩形の所定領域Ｐを囲む第２の表示枠Ｒ２も表示される。なお、撮影画像Ｉは、撮像素子２０で撮像された画像であって、図２の例では人物Ｈが被写体として撮影されたものであり、撮影画像Ｉには顔画像ｆが表されている。
【００２８】
撮影画像Ｉの表示動作が開始されると、撮影画像Ｉに関し、顔画像ｆが映し出される顔領域を検出するための検出動作が実施される。具体的には、まず撮影画像Ｉにおける肌色領域が抽出される。そして、顔認識部２３（図１参照）には平均顔画像のテンプレートが格納されているので、その平均顔画像と肌色領域が比較され、肌色領域のうち平均顔画像に最も近似する部分が顔画像ｆとして認識され、その顔画像ｆが占める領域が、検出顔領域Ｆ（図２においては斜線部分）に設定される。検出顔領域Ｆが設定されると、モニタは第２の状態Ａ２になり、モニタ上には、検出顔領域Ｆを囲む矩形または方形の第１の表示枠Ｒ１が表示される。
【００２９】
なお、上記顔認識の方法は、例えば特開平８-６３５９７号公報等に記載されるが、顔認識の方法は上記方法に限定されず、その他種々の公知の方法を用いることが可能である。また、第１の表示枠Ｒ１の大きさは、顔画像ｆの大きさに応じて適宜変更される。
【００３０】
一方、検出動作において、上記平均顔画像と肌色領域とが比較されたとき、撮影画像Ｉ内に平均顔画像に近似する部分がない場合、撮影画像Ｉには顔画像ｆがないと判定され、検出顔領域Ｆは検出されない。この場合、モニタは第１の状態Ａ１が継続され、モニタ上には撮影画像Ｉとともに第２の表示枠Ｒ２が表示され続けるとともに、その後検出動作も繰り返される。
【００３１】
顔画像ｆが認識された後も、顔画像ｆを検出するための検出動作は繰り返し行われ、各検出動作において、顔画像ｆが検出されると、その新たに検出された顔画像ｆの領域が検出顔領域Ｆに設定される。このとき、モニタは第２の状態Ａ２が維持され、モニタ上にはその新たに設定された検出顔領域Ｆを囲む第１の表示枠Ｒ１が撮影画像Ｉ上に重ねられて表示される。なお、検出動作が繰り返される間、顔領域ｆは移動する場合もあるので、顔領域が検出され続けると、第１の表示枠Ｒ１は、顔画像ｆの動きに追従して移動して表示される。
【００３２】
検出顔領域Ｆが設定された後、上記検出動作が繰り返し行われるとき、その検出動作において顔画像ｆが検出されない場合がある。ここで、ポートレートモードにおいて、被写体（すなわち、人物）には通常ほとんど動きがなく、人の顔も比較的同じ領域に映し出され続ける。すなわち、検出動作で顔画像ｆが検出されないときでも、直前に顔画像ｆが検出されていた場合、その顔画像ｆがあると検出された領域には顔画像が映し出されている可能性が高い。
【００３３】
したがって、本実施形態では、検出顔領域Ｆが設定された後、検出動作において顔画像ｆが検出されない場合、直前に検出顔領域Ｆに設定された領域が継続して検出顔領域Ｆとして設定される。すなわち、第２の状態Ａ２で最後に検出された検出顔領域Ｆと同一の領域が、検出顔領域Ｆに設定される。そしてモニタは第３の状態Ａ３となり、モニタ上にはその設定された検出顔領域Ｆを囲む第１の表示枠Ｒ１が継続して表示される。なお、撮影画像Ｉはスルー画像であり、被写体Ｈは移動することがあるので、モニタが第３の状態Ａ３にあるとき、実際の顔画像ｆと検出顔領域Ｆの位置はずれる場合がある。
【００３４】
一方、一旦顔画像ｆが検出された後、顔画像ｆが検出されない状態が長い時間継続する場合、撮影画像Ｉ上には、顔画像ｆが映し出されていない可能性が高く、また映し出されていても顔画像ｆが検出顔領域Ｆから大きくずれている可能性が高い。したがって、顔画像ｆが検出されない状態が所定時間以上継続する場合（すなわち、第３の状態Ａ３が所定時間以上継続する場合）、検出顔領域Ｆの設定が解除される。これにより、モニタ上には、検出顔領域Ｆを囲むための第１の表示枠Ｒ１の表示も解除され、モニタは第１の状態Ａ１となる。すなわち、モニタ上には第１の表示枠Ｒ１に代わって第２の表示枠Ｒ２が表わされている。
【００３５】
検出顔領域Ｆが設定された状態（すなわち、第２及び第３の状態Ａ２、Ａ３）で、レリーズボタンが半押しされると、検出顔領域Ｆ内の画像データを用いてＡＦ動作、ＡＥ動作が行われる。すなわち、撮像レンズ１９の焦点調整が行われ、検出顔領域Ｆ内の被写体に焦点が合わせられるとともに、検出顔領域Ｆ内の測光値を基に、露光値が設定され、その露光値に合わせて絞り１８の開度が調整され、露光補正が行われる。レリーズボタンが全押しされると、焦点調整、露光補正が行われた状態で撮影が行われ、静止画像が得られる。
【００３６】
検出顔領域Ｆは、上述したように、顔画像ｆが検出された直後、または検出されてから、短時間経過するまでの間しか設定されない。したがって、設定された検出顔領域Ｆ内には、顔画像ｆが映し出されている可能性が高く、上述したように検出顔領域Ｆ内の画像データを基に焦点調整、露光補正が行われると、顔画像ｆに焦点が合わせられ、かつ顔画像ｆの露光値が適正に設定される可能性が高いので、人物の顔が再現性良く適切に撮影される。
【００３７】
一方、検出顔領域Ｆが設定されていない状態（すなわち、第１の状態Ａ１）で、レリーズボタンが半押しされると、所定領域Ｐ内の画像データを用いてマルチＡＦ、マルチＡＥ動作が行われる。すなわち、所定領域Ｐ内の複数のポイントのうち、カメラから最も近い被写体が表わされたポイントに焦点が合うように、撮像レンズ１９の焦点調整が行われる。また、所定領域Ｐ内の複数のポイントの測光値を基に、露光値が設定され、その露光値に合わせて絞り１８の開度が調整され、露光補正が行われる。
【００３８】
そして、レリーズボタンが全押しされると、焦点調整、露光補正が行われた状態で撮影が行われ、静止画像が得られる。すなわち、検出顔領域Ｆが設定されていない状態でレリーズボタンが押されると、通常の静止画像が撮影されるときと同じ条件で撮影が行われる。
【００３９】
図３は、本実施形態に係るデジタルカメラのポートレートモードで実行されるルーチンを示すフローチャートである。
【００４０】
図３に示すように、ポートレートモードが開始されると、デジタルカメラ１０は撮影待機状態となり、ステップＳ１０１では撮像素子２０で撮影画像が得られ、その撮影画像がスルー画像としてモニタ２５に表示される。なお、ポートレートモードの開始時、撮影画像の上には、第２の表示枠Ｒ２（図２参照）が重ねられて表示され、モニタは第１の状態Ａ１になる（図２参照）。
【００４１】
ステップＳ１０３では、ステップＳ１０１で得られた撮影画像に関し、人間の顔が映し出される顔領域が検出されるための検出動作が行われる。ステップＳ１０５では、ステップＳ１０３の検出動作において顔画像ｆ（図２参照）が検出されたかどうかが判定される。
【００４２】
ステップＳ１０５で顔画像が検出された場合、ステップＳ１０６に進み、ステップＳ１０６では、その検出された顔画像ｆを含む領域が検出顔領域Ｆに設定される。ステップＳ１０７では、検出顔領域Ｆに関する領域情報がメモリ２４に格納されるとともに、検出顔領域Ｆが設定されたことを示すために、顔認識部２３でフラグが０から１にたてられ、ステップＳ１０９では、タイマーのカウントが開始される。
【００４３】
ステップＳ１１１では、モニタ上に、検出顔領域Ｆを囲う第１の表示枠Ｒ１がスルー画像とともに表示され、すなわちモニタが第２の状態Ａ２（図２参照）となる。ステップＳ１１３では、ＳＷＳスイッチ３３が入力されたかどうかが判定され、入力されていないと判定された場合、ステップＳ１０１に戻り、次のフレームの撮像画像がモニタ２５に表示され、スルー画像表示が継続される。その後、ステップ１０３では、モニタに表示されているフレームの撮像画像に関し、再び顔領域の検出動作が行われる。そして、ステップＳ１０５では再び顔画像が検出されたかどうかが判定され、顔画像が検出された場合、ステップＳ１０６〜Ｓ１１１で同様の動作が繰り返される。すなわち、撮影待機状態では、顔画像が検出され続ける場合、スルー画像のフレームが代わる毎に、新たな検出顔領域Ｆが設定され、タイマーのカウントも０に戻される。そして、ステップＳ１１１では、前に表示されていた表示枠に代わり、ステップＳ１０６で設定された検出顔領域Ｆを囲うように新たな第１の表示枠Ｒ１が表示される。
【００４４】
ステップＳ１０５で顔画像が検出されなかった場合、ステップＳ１１５に進む。そして、ステップＳ１１５、１１７において、フラグが１にたてられ、かつタイマーのカウントが所定時間Ａ以下であると判定された場合、ステップＳ１２３に進む。ステップＳ１２３では、直前に設定された検出顔領域Ｆ（すなわち、ステップＳ１０６において最後に設定された検出顔領域Ｆ）が継続して検出顔領域Ｆに設定されるとともに、ステップＳ１１１で表示された第１の表示枠Ｒ１が引き続き継続してモニタ上に表示される。すなわち、ステップＳ１２３ではモニタが第３の状態Ａ３（図２参照）になる。
【００４５】
ステップＳ１１５、１１７で、フラグが１にたてられている一方、タイマーのカウントが所定時間Ａより大きいと判定された場合、ステップＳ１１９ではフラグが１から０に設定される。その後、ステップＳ１２１で第１の表示枠Ｒ１の表示が終了するとともに、第２の表示枠Ｒ２の表示が開始され、モニタは第１の状態Ａ１に戻る。
【００４６】
一方、ステップＳ１１５でフラグが１ではないと判定された場合、モニタは既に第１の状態Ａ１であるので、ステップＳ１１７、１１９をスキップしてステップＳ１２１でもそのまま第１の状態Ａ１が維持される。
【００４７】
ステップＳ１１１、１２１、１２３が終了した後、ステップＳ１１３でＳＷＳスイッチ３３が入力されたと判定されると、ステップＳ１２５に進み、ステップＳ１２５ではフラグが１にたてられているかどうかが判定される。すなわち、フラグが１にたてられている場合、検出顔領域Ｆが設定されている状態であるので、ステップＳ１２９ではその検出顔領域Ｆの画像データを用いてＡＥ、ＡＦ動作が実施され、焦点調整、露光制御が行われる。
【００４８】
一方、フラグが０である場合、検出顔領域Ｆが設定されていない状態であるので、ステップＳ１２７では、所定領域Ｐ内の画像データが用いられてマルチＡＥ、ＡＦ動作が実施され、焦点調整、露光補正が行われる。
【００４９】
その後ステップＳ１３１でＳＷＲスイッチ３４が入力されたと判定されると、ステップＳ１２７、１２９で行われた焦点調整・露光補正が維持された状態で、ステップＳ１３３において静止画の撮影・記録が行われる。なお、ステップＳ１３１でＳＷＲスイッチ３４が入力されていないと判定されると、ステップＳ１１３に戻る。
【００５０】
以上のように本実施形態では、検出動作において顔画像ｆが検出されないときでも、その前に検出されている顔領域が継続して検出顔領域Ｆに設定されるため、第１の表示枠Ｒ１も継続してモニタ上に表示される。したがって、第１の表示枠Ｒ１の非表示・表示が繰り返されることはないので、撮影者に不快感を与えることはない。また顔領域の検出・非検出が繰り返されることはないので、どのタイミングでシャッターを押したらよいのかユーザーに戸惑いを与えることもない。
【００５１】
また、検出顔領域Ｆは継続的に設定されているので、静止画が撮影される直前に顔画像ｆが検出されない場合でも、検出顔領域Ｆ内の画像を基に露光補正・焦点調整が行われる。したがって、ポートレートモードにおいて人物が適切に撮影されやすくなる。
【００５２】
なお上述したように、ステップＳ１２３では、ステップＳ１０６で設定された検出顔領域Ｆと同一の領域が検出顔領域Ｆとして設定されるが、ステップＳ１２３で設定される検出顔領域Ｆは、ステップＳ１０６で設定された検出顔領域Ｆを含み、かつその領域より広い領域として設定されても良い。この場合勿論、第１の表示枠Ｒ１はその広げられた検出顔領域Ｆを囲むように、撮影画像上に重ねて表示される。本実施形態のステップＳ１２３で設定される検出顔領域Ｆは、顔領域が検出されてからある程度の時間が経過しているので、実際の顔領域に対して位置がずれていることがある。したがって、ステップＳ１２３で設定される検出顔領域Ｆの領域が拡大されれば、顔画像の位置が多少ずれても検出顔領域Ｆ内に顔画像を表示することができる。
【００５３】
さらに、本実施形態では、ステップＳ１２７でマルチＡＥ、ＡＦは、予め定められていた所定領域Ｐ内の画像データを用いて行われるが、所定領域ＰはステップＳ１０６で最後に設定された検出顔領域Ｆを含み、かつその領域より広い領域として設定されても良い。このような構成によれば、ステップＳ１２７で行われるマルチＡＥ、ＡＦ動作でもステップＳ１０３で検出された検出顔領域Ｆを活用することができる。
【００５４】
なお、本実施形態では、ステップＳ１３１でＳＷＲスイッチ３４が入力されていないと判定されたときにステップＳ１１３を戻る構成を示したが、ステップＳ１３１でＳＷＲスイッチ３４が入力されていないと判定されたとき直ちにステップＳ１０１に戻る構成にしても良い。
【００５５】
ステップＳ１０３では顔領域の検出動作は、スルー画像の各フレームそれぞれについて行われたが、各フレームについて行われなくても良い。例えば、検出動作は１フレームおきに行われても良い。
【図面の簡単な説明】
【００５６】
【図１】本実施形態に係るデジタルカメラのブロック図である。
【図２】モニタの状態を示す模式図である。
【図３】ポートレートモードで実行されるルーチンを示すフローチャートである。
【符号の説明】
【００５７】
ｆ  顔画像
Ｆ  検出顔領域（検出被写体領域）
Ｉ  撮影画像
Ｐ  所定領域
Ｒ１  第１の表示枠
Ｒ２  第２の表示枠
【図１】
2007221312.tif 000003
【図２】
2007221312.tif 000004
【図３】
2007221312.tif 000005